(57)【要約】【課題】放熱部材の設置が困難な狭小な場所であっても、薄型照明部が発した熱を良好に放散することができる照明装置を提供する。【解決手段】照明装置１は、薄型照明部７０と、放熱部５０とを備える。薄型照明部７０は、半導体発光部７０ａ，７０ｂ，７０ｃを含む。放熱部５０は、薄型照明部７０が発した熱を放散する板状体の金属でなる。薄型照明部７０は、放熱部５０に熱的に接続されている。放熱部５０は、上部部材２０、下部部材３０及び連結部材４０によってなる板状部に沿った所定位置に配設される。【選択図】図１
2013211199.tif 000002
【特許請求の範囲】
【請求項１】
半導体発光素子を有する薄型照明部と、
前記薄型照明部が発した熱を放散する板状体の金属でなる放熱部と、を備え、
前記薄型照明部は、前記放熱部に熱的に接続されており、
前記放熱部は、前記薄型照明部が設置される板状部に沿った所定位置に配設される
ことを特徴とする照明装置。
【請求項２】
前記放熱部は第１面及び第２面を有し、前記第２面には、前記薄型照明部の少なくとも一部を収容する凹部が形成されており、
前記薄型照明部は、前記少なくとも一部が前記凹部に収容されている
ことを特徴とする請求項１に記載の照明装置。
【請求項３】
前記放熱部の前記第１面又は前記第２面には、複数の凸部が設けられている
ことを特徴とする請求項２に記載の照明装置。
【請求項４】
前記放熱部の前記第１面には、熱放射率を高めるための処理がなされ、当該処理がなされていない場合よりも高い割合で熱を放射する
ことを特徴とする請求項２又は請求項３に記載の照明装置。
【請求項５】
前記放熱部の近傍に気流を生じさせるファンを備える
ことを特徴とする請求項１から請求項４のうちいずれか１項に記載の照明装置。
【請求項６】
前記薄型照明部は、ダウンライト型照明である
ことを特徴とする請求項１から請求項５のうちいずれか１項に記載の照明装置。
【請求項７】
前記薄型照明部は、ライン型照明である
ことを特徴とする請求項１から請求項５のうちいずれか１項に記載の照明装置。
【請求項８】
半導体発光素子を有する薄型照明部と、
前記薄型照明部が発した熱を放散する板状体の金属でなる放熱部と、
前記薄型照明部が設置される板状部と、を備え、
前記薄型照明部は、前記放熱部に熱的に接続されており、
前記放熱部は、前記板状部に沿った所定位置に配設される
ことを特徴とする照明装置。
【請求項９】
前記板状部は、前記薄型照明部が設置される部材である第１板状部材及び前記第１板状部材を支持する第２板状部材並びに前記第１板状部材及び前記第２板状部材を連結する連結部材から構成され、
前記放熱部は、前記第２板状部材に対向する前記第１板状部材の第１面に取り付けられている
ことを特徴とする請求項８に記載の照明装置。
【請求項１０】
前記第１板状部材には、前記薄型照明部を設置するための貫通孔が設けられており、
前記放熱部は、第１面と第２面とを有し、前記第２板状部材に対向しない前記第２面には、前記貫通孔の位置に合わせて前記薄型照明部の少なくとも一部を収容する凹部が形成されており、
前記薄型照明部は、前記少なくとも一部が前記凹部に収容されている
ことを特徴とする請求項９に記載の照明装置。
【請求項１１】
前記第２板状部材に対向する前記放熱部の前記第１面には、複数の凸部が設けられている
ことを特徴とする請求項１０に記載の照明装置。
【請求項１２】
前記第２板状部材に対向する前記放熱部の前記第１面には、熱放射率を高めるための処理がなされ、当該処理がなされていない場合よりも高い割合で熱を放射する
ことを特徴とする請求項１０又は請求項１１に記載の照明装置。
【請求項１３】
前記第２板状部材と前記放熱部との間の空間に気流を生じさせるファンを備える
ことを特徴とする請求項９から請求項１２のうちいずれか１項に記載の照明装置。
【請求項１４】
前記板状部は、前記薄型照明部が設置される部材である第１板状部材及び前記第１板状部材を支持する第２板状部材並びに前記第１板状部材及び前記第２板状部材を連結する連結部材から構成され、
前記放熱部は、前記第２板状部材に対向しない前記第１板状部材の第２面に取り付けられている
ことを特徴とする請求項８に記載の照明装置。
【請求項１５】
前記第１板状部材には、前記薄型照明部を設置するための貫通孔が設けられており、
前記放熱部は、第１面と第２面とを有し、前記第１板状部材に対向しない前記第２面には、前記貫通孔を貫通して前記薄型照明部の少なくとも一部を収容する凹部が形成されており、
前記薄型照明部は、前記少なくとも一部が前記凹部に収容されている
ことを特徴とする請求項１４に記載の照明装置。
【請求項１６】
前記第１板状部材及び前記放熱部には、前記被照射物側部材及び前記放熱部を通じて前記薄型照明部を設置するための貫通孔が設けられており、
前記薄型照明部は、前記貫通孔に設置されたときに前記放熱部の開口縁部に当接する鍔部が形成されている
ことを特徴とする請求項１４に記載の照明装置。
【請求項１７】
前記放熱部は、第１面と第２面とを有し、前記第１板状部材に対向しない前記第２面には、複数の凸部が設けられている
ことを特徴とする請求項１５又は請求項１６に記載の照明装置。
【請求項１８】
前記放熱部は、第１面と第２面とを有し、前記第１板状部材に対向しない前記第２面には、熱放射率を高めるための処理がなされ、当該処理がなされていない場合よりも高い割合で熱を放射する
ことを特徴とする請求項１５から請求項１７のうちいずれか１項に記載の照明装置。
【請求項１９】
前記放熱部の近傍に気流を生じさせるファンを備える
ことを特徴とする請求項１４から請求項１８のうちいずれか１項に記載の照明装置。
【請求項２０】
前記板状部は、前記薄型照明部が設置される部材である第１板状部材及び前記第１板状部材を支持する第２板状部材並びに前記第１板状部材及び前記第２板状部材を連結する連結部材から構成され、
前記放熱部は、前記第１板状部材である
ことを特徴とする請求項８に記載の照明装置。
【請求項２１】
前記放熱部は、第１面と第２面とを有し、前記第２板状部材に対向しない前記第２面には、前記薄型照明部の少なくとも一部を収容する凹部が形成されており、
前記薄型照明部は、前記少なくとも一部が前記凹部に収容されている
ことを特徴とする請求項２０に記載の照明装置。
【請求項２２】
前記第２板状部材に対向する前記放熱部の前記第１面には、複数の凸部が設けられている
ことを特徴とする請求項２１に記載の照明装置。
【請求項２３】
前記第２板状部材に対向する前記放熱部の前記第１面には、熱放射率を高めるための処理がなされ、当該処理がなされていない場合よりも高い割合で熱を放射する
ことを特徴とする請求項２１又は請求項２２に記載の照明装置。
【請求項２４】
前記第２板状部材と前記放熱部との間の空間に気流を生じさせるファンを備える
ことを特徴とする請求項２０から請求項２３のうちいずれか１項に記載の照明装置。
【請求項２５】
前記薄型照明部は、ダウンライト型照明である
ことを特徴とする請求項８から請求項２４のうちいずれか１項に記載の照明装置。
【請求項２６】
前記薄型照明部は、ライン型照明である
ことを特徴とする請求項８から請求項２４のうちいずれか１項に記載の照明装置。
【発明の詳細な説明】
【技術分野】
【０００１】
本発明は、半導体発光素子を用いた照明装置に関する。
【背景技術】
【０００２】
従来、店舗等において棚に陳列された商品を照射するための照明装置として、ＬＥＤチップ等の半導体発光素子が用いられた棚照明装置が広く知られている。このような棚照明装置として、例えば、特許文献１に記載されている棚照明装置や、特許文献２に記載されているショーケースがある。
【０００３】
特許文献１に記載されている棚照明装置は、例えば、複数の発光ダイオードをライン状に配置したアレイ状光源と、発光ダイオードにそれぞれ対応して設けられ、棚面に向けて拡開した曲面形状を有する第１反射部と、第１反射部のさらに光出射側で、発光ダイオードからの光を光出射側に向けて反射する平板状の反射面を有する第２反射部と、を備える。そして、第２反射部が、発光ダイオードを中心とする棚面の手前側と奥側とのうち手前側のみに配置されている。
【０００４】
特許文献２のショーケースは、例えば、前面が開口する陳列室内に架設した棚上に商品を陳列するものであって、ＬＥＤ素子を有し、棚下の後部に位置して前方に向けられたＬＥＤ照明装置と、棚下の前部に設けられた反射面とを備え、ＬＥＤ照明装置のＬＥＤ素子から照射された光を、反射面により棚下方に向けて反射させる。
【先行技術文献】
【特許文献】
【０００５】
【特許文献１】特開２００８−４２９６号公報
【特許文献２】特開２０１０−７８２５２号公報
【発明の概要】
【発明が解決しようとする課題】
【０００６】
しかしながら、従来の棚照明装置や特許文献１の棚照明装置、特許文献２のショーケースでは、照明装置を設置するためのスペースが狭く、照明装置に一般的な放熱用のフィン等を取り付けることができないため、照明装置において発生した熱の放散が問題になる。ＬＥＤチップ等の半導体発光素子を用いた照明装置では、半導体発光素子が光を発すると共に熱を発して温度が上昇するに従い、発光効率が低下すると共に寿命にも悪影響を与える。
【０００７】
このため、ＬＥＤチップ等の半導体発光素子を光源とする照明装置では、発光効率及び寿命を改善するために、発生した熱を効率良く放散して半導体発光素子の温度上昇を抑制する必要がある。
【０００８】
本発明はこのような課題に鑑みてなされたものであり、その目的とするところは、放熱部材の設置が困難な狭小な場所であっても、薄型照明装置が発した熱を良好に放散することができる照明装置を提供することにある。
【課題を解決するための手段】
【０００９】
上記目的を達成するため、本発明の照明装置は、半導体発光素子を有する薄型照明部と、前記薄型照明部が発した熱を放散する板状体の金属でなる放熱部と、を備え、前記薄型照明部は、前記放熱部に熱的に接続されており、前記放熱部は、前記薄型照明部が設置される板状部に沿った所定位置に配設されることを特徴とする。
【００１０】
前記放熱部は第１面及び第２面を有し、前記第２面には、前記薄型照明部の少なくとも一部を収容する凹部が形成されており、前記薄型照明部は、前記少なくとも一部が前記凹部に収容されていてもよい。
【００１１】
前記放熱部の前記第１面又は前記第２面には、複数の凸部が設けられていることが好ましい。そのような構成によれば、放熱部の表面積を拡大し、薄型照明部が発して放熱部に伝達された熱を高い効率で放散することができる。そして、薄型照明部の温度上昇を良好に抑制することができる。
【００１２】
前記放熱部の前記第１面には、熱放射率を高めるための処理がなされ、当該処理がなされていない場合よりも高い割合で熱を放射するように構成されていることが好ましい。そのような構成によれば、放熱部の熱放射率を高め、薄型照明部が発して放熱部に伝達された熱を高い効率で放散することができる。そして、薄型照明部の温度上昇を良好に抑制することができる。
【００１３】
照明装置は、前記放熱部の近傍に気流を生じさせるファンを備えることが好ましい。そのような構成によれば、放熱部の熱放射効率を高め、薄型照明部が発して放熱部に伝達された熱を高い効率で放散することができる。そして、薄型照明部の温度上昇を良好に抑制することができる。
【００１４】
前記薄型照明部は、ダウンライト型照明であってもよいし、ライン型照明であってもよい。
【００１５】
上記目的を達成するため、本発明の他の態様の照明装置は、半導体発光素子を有する薄型照明部と、前記薄型照明部が発した熱を放散する板状体の金属でなる放熱部と、前記薄型照明部が設置される板状部と、を備え、前記薄型照明部は、前記放熱部に熱的に接続されており、前記放熱部は、前記板状部に沿った所定位置に配設されることを特徴とする。
【００１６】
前記板状部は、前記薄型照明部が設置される部材である第１板状部材及び前記第１板状部材を支持する第２板状部材並びに前記第１板状部材及び前記第２板状部材を連結する連結部材から構成され、前記放熱部は、前記第２板状部材に対向する前記第１板状部材の第１面に取り付けられていてもよい。
【００１７】
前記第１板状部材には、前記薄型照明部を設置するための貫通孔が設けられており、前記放熱部は、第１面と第２面とを有し、前記第２板状部材に対向しない前記第２面には、前記貫通孔の位置に合わせて前記薄型照明部の少なくとも一部を収容する凹部が形成されており、前記薄型照明部は、前記少なくとも一部が前記凹部に収容されていてもよい。
【００１８】
前記第２板状部材に対向する前記放熱部の前記第１面には、複数の凸部が設けられていることが好ましい。そのような構成によれば、放熱部の表面積を拡大し、薄型照明部が発して放熱部に伝達された熱を高い効率で放散することができる。そして、薄型照明部の温度上昇を良好に抑制することができる。
【００１９】
前記第２板状部材に対向する前記放熱部の前記第１面には、熱放射率を高めるための処理がなされ、当該処理がなされていない場合よりも高い割合で熱を放射するように構成されていることが好ましい。そのような構成によれば、放熱部の熱放射率を高め、薄型照明部が発して放熱部に伝達された熱を高い効率で放散することができる。そして、薄型照明部の温度上昇を良好に抑制することができる。
【００２０】
照明装置は、前記第２板状部材と前記放熱部との間の空間に気流を生じさせるファンを備えることが好ましい。そのような構成によれば、放熱部の熱放射効率を高め、薄型照明部が発して放熱部に伝達された熱を高い効率で放散することができる。そして、薄型照明部の温度上昇を良好に抑制することができる。
【００２１】
前記板状部は、前記薄型照明部が設置される部材である第１板状部材及び前記第１板状部材を支持する第２板状部材並びに前記第１板状部材及び前記第２板状部材を連結する連結部材から構成され、前記放熱部は、前記第２板状部材に対向しない前記第１板状部材の第２面に取り付けられていてもよい。
【００２２】
前記第１板状部材には、前記薄型照明部を設置するための貫通孔が設けられており、前記放熱部は、第１面と第２面とを有し、前記第１板状部材に対向しない前記第２面には、前記貫通孔を貫通して前記薄型照明部の少なくとも一部を収容する凹部が形成されており、前記薄型照明部は、前記少なくとも一部が前記凹部に収容されていてもよい。
【００２３】
前記第１板状部材及び前記放熱部には、前記被照射物側部材及び前記放熱部を通じて前記薄型照明部を設置するための貫通孔が設けられており、前記薄型照明部は、前記貫通孔に設置されたときに前記放熱部の開口縁部に当接する鍔部が形成されていてもよい。
【００２４】
前記放熱部は、第１面と第２面とを有し、前記第１板状部材に対向しない前記第２面には、複数の凸部が設けられていることが好ましい。そのような構成によれば、放熱部の表面積を拡大し、薄型照明部が発して放熱部に伝達された熱を高い効率で放散することができる。そして、薄型照明部の温度上昇を良好に抑制することができる。
【００２５】
前記放熱部は、第１面と第２面とを有し、前記第１板状部材に対向しない前記第２面には、熱放射率を高めるための処理がなされ、当該処理がなされていない場合よりも高い割合で熱を放射するように構成されていることが好ましい。そのような構成によれば、放熱部の熱放射率を高め、薄型照明部が発して放熱部に伝達された熱を高い効率で放散することができる。そして、薄型照明部の温度上昇を良好に抑制することができる。
【００２６】
照明装置は、前記放熱部の近傍に気流を生じさせるファンを備えるように構成されていることが好ましい。そのような構成によれば、放熱部の熱放射効率を高め、薄型照明部が発して放熱部に伝達された熱を高い効率で放散することができる。そして、薄型照明部の温度上昇を良好に抑制することができる。
【００２７】
前記板状部は、前記薄型照明部が設置される部材である第１板状部材及び前記第１板状部材を支持する第２板状部材並びに前記第１板状部材及び前記第２板状部材を連結する連結部材から構成され、前記放熱部は、前記第１板状部材であってもよい。
【００２８】
前記放熱部は、第１面と第２面とを有し、前記第２板状部材に対向しない前記第２面には、前記薄型照明部の少なくとも一部を収容する凹部が形成されており、前記薄型照明部は、前記少なくとも一部が前記凹部に収容されていてもよい
【００２９】
前記第２板状部材に対向する前記放熱部の前記第１面には、複数の凸部が設けられていることが好ましい。そのような構成によれば、放熱部の表面積を拡大し、薄型照明部が発して放熱部に伝達された熱を高い効率で放散することができる。そして、薄型照明部の温度上昇を良好に抑制することができる。
【００３０】
前記第２板状部材に対向する前記放熱部の前記第１面には、熱放射率を高めるための処理がなされ、当該処理がなされていない場合よりも高い割合で熱を放射するように構成されていることが好ましい。そのような構成によれば、放熱部の熱放射率を高め、薄型照明部が発して放熱部に伝達された熱を高い効率で放散することができる。そして、薄型照明部の温度上昇を良好に抑制することができる。
【００３１】
照明装置は、前記第２板状部材と前記放熱部との間の空間に気流を生じさせるファンを備えるように構成されていることが好ましい。そのような構成によれば、放熱部の熱放射効率を高め、薄型照明部が発して放熱部に伝達された熱を高い効率で放散することができる。そして、薄型照明部の温度上昇を良好に抑制することができる。
【００３２】
前記薄型照明部は、ダウンライト型照明であってもよいし、ライン型照明であってもよい。
【発明の効果】
【００３３】
本発明の照明装置によれば、板状部に沿った所定位置に配設された板状体の放熱部が薄型照明部と熱的に接続されるので、薄型照明部が発した光が放熱部に伝達されて放散され、薄型照明部の温度上昇を良好に抑制することができる。
【００３４】
また、放熱部として板状部に沿った所定位置に配設された板状体を用いるので、照明装置の厚さを増さずに、商品陳列棚のような照明装置を設置するためのスペースが狭小な場所であっても、当該照明装置を設置することができる。
【図面の簡単な説明】
【００３５】
【図１】第１実施形態の照明装置が設置された商品陳列棚の構成例を示す概略斜視図である。
【図２】第１実施形態の照明装置の構成例を示す概略斜視図である。
【図３】薄型照明部の概略下面図である。
【図４】半導体発光部の概略部分断面図である。
【図５】図２におけるV-V線に沿う概略断面図である。
【図６】図２におけるVI-VI線に沿う概略断面図である。
【図７】第２実施形態の照明装置の構成例を示す概略斜視図である。
【図８】図７におけるVIII-VIII線に沿う概略断面図である。
【図９】図７におけるIX-IX線に沿う概略断面図である。
【図１０】第２実施形態の照明装置の変形例を図８と同様に示す概略断面図である。
【図１１】第３実施形態の照明装置の構成例を示す概略斜視図である。
【図１２】図１１におけるXII-XII線に沿う概略断面図である。
【図１３】図１１におけるXIII-XIII線に沿う概略断面図である。
【図１４】他の態様の薄型照明部を適用した第４実施形態の照明装置の構成例を示す概略斜視図である。
【図１５】他の態様の薄型照明部の概略下面図である。
【発明を実施するための形態】
【００３６】
以下、図面に基づき本発明の実施形態について説明する。なお、本発明は以下に説明する内容に限定されるものではなく、その要旨から逸脱しない範囲において任意に変更して実施することが可能である。また、本実施形態の説明に用いる図面は、いずれも本発明による照明装置１などの特性を模式的に示すものであって、理解を深めるべく、必要に応じて部分的な強調、拡大、縮小、又は省略などを行っている場合がある。更に、用いられている様々な数値は、いずれも一例を示すものであり、必要に応じて様々に変更することが可能である。
【００３７】
＜第１実施形態＞
図１は、第１実施形態の照明装置１が設置された商品陳列棚１０の構成例を示す概略斜視図である。図２は、第１実施形態の照明装置１の構成例を示す概略斜視図である。図３は、薄型照明部７０の概略下面図である。図４は、半導体発光部７０ａの概略部分断面図である。図５は、図２におけるV-V線に沿う概略断面図である。図６は、図２におけるVI-VI線に沿う概略断面図である。図１に示すように、本実施形態の照明装置１は、商品陳列棚１０に設置され、各棚及び天板をなしている。そして、中段の棚には商品１００が配置されている。なお、図２には、商品陳列棚１０に設置されている照明装置１のうち、中段の棚をなしている照明装置１の概略斜視図が示されている。
【００３８】
そして、本実施形態の照明装置１は、上部部材（第２板状部材）２０、下部部材（第１板状部材）３０、連結部材４０、放熱部５０、ファン６０、及び薄型照明部７０を含む。ファン６０は、商品陳列棚１０の一方の側板である第１の側板１１ａにおいて、照明装置１の設置位置に応じた位置（具体的には、照明装置１の上部部材２０及び下部部材３０の端部に対向する位置）に設けられた貫通孔に設置されている。そして、商品陳列棚１０の他方の側板である第２の側板１１ｂにおいて、第１の側板１１ａにファン６０が設置されている位置に対向する位置に貫通孔である通風口１２が設けられている。従って、商品陳列棚１０の開口方向を正面とすると、ファン６０によって商品陳列棚１０内に第１の側板１１ａ側から流入した空気は、通風口１２から第２の側板１１ｂ側の外部に排出される。なお、上部部材２０、下部部材３０及び連結部材４０が本発明の板状部をなす。また、上部部材２０、下部部材３０、放熱部５０及び上部部材２０と下部部材３０との間の空間において、商品陳列棚１０の開口側端面は、カバー部材８０によって覆われている。
【００３９】
放熱部５０は、水平面状の上面（放熱部の第１面）５１と下面（放熱部の第２面）５２とを有する金属製の板状体である。放熱部５０は、薄型照明部７０の照射方向に対して略垂直方向に広がるようにして形成されている。また、上部部材２０は、水平面状の上面２１と下面２２とを有する板状体である。下部部材３０も、水平面状の上面（第１板状部材の第１面）３１と下面（第１板状部材の第２面）３２とを有する板状体である。そして、連結部材４０は、上部部材２０と下部部材３０との間に空間を形成して上部部材２０の下面２２と下部部材３０の上面３１とを連結する。
【００４０】
上部部材２０は、例えば、両側面が商品陳列棚１０の側板１１ａ，１１ｂの内壁にそれぞれ対向するように配置され、当該両側面と当該側板１１ａ，１１ｂの内壁とがそれぞれピンによって連結されて支持されている。そして、例えば、連結部材４０の上面４１と上部部材２０の下面２２とが接着剤で固着され、連結部材４０の下面４２と下部部材３０の上面３１とが接着剤で固着されている。そのような構成によって、上部部材２０と下部部材３０とは連結部材４０によって連結されている。そして、下部部材３０は、上部部材２０の下面２２側に懸架されている。なお、例えば、放熱部５０には、連結部材４０の下面４２が下部部材３０の上面３１に固着される領域に応じて、上面５１から下面５２に亘って連結部材４０の下面４２側の部分が通過するための連結用貫通孔５５が設けられている。従って、連結部材４０は、放熱部５０に設けられた連結用貫通孔５５を介して、上部部材２０と下部部材３０とを連結している。
【００４１】
また、下部部材３０の上面３１と放熱部５０の下面５２とが、例えば接着剤等によって固着され、さらに、連結部材４０の下面４２と放熱部５０の上面５１とが接着剤で固着されることによって、放熱部５０を介して、連結部材４０と下部部材３０とが接続されていてもよい。そのような構成によれば、上部部材２０と下部部材３０とは放熱部５０を介して連結部材４０によって連結される。
【００４２】
図１及び図２に例示した薄型照明部７０は、下面７２が下方、すなわち被照射物である商品１００が配置されている方向を向くように下部部材３０に設置されているダウンライト型照明である。
【００４３】
図３に示すように薄型照明部７０は、３個の半導体発光部７０ａ，７０ｂ，７０ｃと、下面７２に沿って半導体発光部７０ａ，７０ｂ，７０ｃの周囲を囲む鍔部７３とを含む。なお、図３に示す例では、半導体発光部７０ａ，７０ｂ，７０ｃは、発した光を下方に反射するためのリフレクタによって周囲を囲まれている。また、図３に示す例では、薄型照明部７０は、３個の半導体発光部７０ａ，７０ｂ，７０ｃを含むが、４個以上の半導体発光部を含んでいてもよいし、３個未満の半導体発光部を含んでいてもよい。３個の半導体発光部７０ａ，７０ｂ，７０ｃの構成は互いに同様なため、代表して半導体発光部７０ａの構成について説明する。図４に示すように、半導体発光部７０ａは、半導体発光素子であるＬＥＤチップ７０２、当該ＬＥＤチップ７０２が発した光の波長を変換する蛍光体を含む蛍光体部７０３、及びＬＥＤチップ７０２及び蛍光体部７０３が配置される基板７０１を含む。基板７０１には、天面７１１を有する凹部７２１が設けられている。
【００４４】
天面７１１には、ＬＥＤチップ７０２が配置される。なお、ＬＥＤチップ７０２として、例えば、紫色発光ダイオード素子や、青色発光ダイオード素子がある。基板７０１には、ＬＥＤチップ７０２に電力を供給するための図示しない配線パターンが形成されており、当該配線パターンとＬＥＤチップ７０２とは図示しない電線によって接続されている。基板７０１に形成されている配線パターンは、上部部材２０の下面２２と放熱部５０の上面５１の間の空間に配設された電線によって、図示しない電力供給部に接続されている。ＬＥＤチップ７０２は、当該電力供給部から電力を供給されて光を発する。
【００４５】
基板７０１の凹部７２１には、蛍光体が所定の充填剤に混合された状態で充填されている。具体的には、凹部７２１には、青色蛍光体や、緑色蛍光体、黄色蛍光体、及び赤色蛍光体のうちいずれか１種以上の蛍光体が予め定められた半導体発光部７０ａの発光色等の発光特性に応じて所定の充填剤と混合されて充填されている。なお、複数種の蛍光体が用いられる場合には、凹部７２１が蛍光体毎の領域に仕切られ、各領域にＬＥＤチップ７０２がそれぞれ配置されていてもよい。
【００４６】
なお、前述したように、半導体発光部７０ａ，７０ｂ，７０ｃにおいて、蛍光体は充填剤と混合されてＬＥＤチップ７０２が配置されている凹部７２１に充填されており、蛍光体とＬＥＤチップ７０２とが直接接触するように構成されているが、半導体発光部７０ａ，７０ｂ，７０ｃは、蛍光体がＬＥＤチップ７０２から離間した位置に配置されるリモートフォスファー型の半導体発光部であってもよい。具体的には、例えば、ＬＥＤチップ７０２から離間した位置に硝子等の透光性が高い板が配置され、当該板に蛍光体が塗布されている。なお、当該板が複数の領域に分けられ、青色蛍光体や、緑色蛍光体、黄色蛍光体、及び赤色蛍光体によって各領域が塗り分けられていてもよい。
【００４７】
図３に示して前述したように、本実施形態の薄型照明部７０は、３個の半導体発光部７０ａ，７０ｂ，７０ｃを含む。そこで、各半導体発光部７０ａ，７０ｂ，７０ｃに用いる蛍光体の種類や混合比率、ＬＥＤチップとの組み合わせを異ならせることによって、薄型照明部７０に、各半導体発光部７０ａ，７０ｂ，７０ｃが発した光の合成光を放射させることができる。そして、各半導体発光部７０ａ，７０ｂ，７０ｃが発する光の強度をそれぞれ異ならせるための制御手段を含むように構成された場合には、各半導体発光部７０ａ，７０ｂ，７０ｃが発する光の強度を被照射物である商品１００の色等に応じてそれぞれ変化させ、薄型照明部７０に、商品１００の色等に応じた色度等の光を発させることができる。
【００４８】
本実施形態では、薄型照明部７０にＬＥＤチップを発光源とする半導体発光部を用いたので、ハロゲンランプ等を発光源とした場合に比べて、下面７２と当該下面７２の反対側の面である上面７１（図１〜図４において図示せず）との間の距離を短くすることができる。従って、薄型の照明装置１を実現することができる。
【００４９】
図５に示すように、本実施形態の照明装置１は、上部部材２０の下面２２と連結部材４０の上面４１とが固着され、下部部材３０の上面３１と連結部材４０の下面４２とが固着されることによって、上部部材２０と下部部材３０とが連結部材４０によって連結されている。そして、下部部材３０の上面３１には、放熱部５０の下面５２が固着されて当該放熱部５０が配設されている。なお、図２に示す例では、連結部材４０は角柱形状であるが、上部部材２０の下面２２と下部部材３０の上面３１とを連結可能な形状であれば、種々の形状が適用可能であり、具体的には、例えば、円柱形状や、畝状等の他の形状であってもよい。図２に示す例では、４個の連結部材４０が用いられているが、連結部材４０の数は４個に限られず、３個以下であってもよいし、５個以上であってもよい。
【００５０】
また、下部部材３０には、下面３２から上面３１に亘り、薄型照明部７０を設置するための貫通孔である照明用貫通孔３７が設けられている。そして、放熱部５０において、下部部材３０の照明用貫通孔３７が設けられている領域に合致する領域は、当該領域を開口方向とし、薄型照明部７０の少なくとも一部を収容するための凹部である照明用凹部５７が設けられている。
【００５１】
図５に示す例では、薄型照明部７０の上面７１側の部分は、鍔部７３の上面７３１が下部部材３０の下面３２に当接するまで、下部部材３０の照明用貫通孔３７を下面３２側から通過して放熱部５０の照明用凹部５７内に収容される。そして、薄型照明部７０の外面において、放熱部５０の照明用凹部５７の内壁に向かい合う部分は、当該放熱部５０の照明用凹部５７の内壁に接して熱的に接続される。従って、薄型照明部７０が光を発したことによって生じた熱は、放熱部５０に良好に伝達される。そして、薄型照明部７０の温度上昇を良好に抑制することができる。なお、薄型照明部７０は、例えば、鍔部７３が下面７２側から図示しないビス等によって下部部材３０の下面３２に締結されて固定される。
【００５２】
図５に示す例では、放熱部５０の上面５１には、上部部材２０の下面２１に向かう複数の凸部５３が設けられている。放熱部５０に複数の凸部５３が設けられていることによって放熱部５０の表面積を拡げ、放熱部５０による放熱効率を向上させることができ、薄型照明部７０が光を発したことによって生じた熱を高い効率で放散させることができる。そして、薄型照明部７０の温度上昇を良好に抑制することができる。なお、図５及び図６に示す例では１２個の凸部５３が設けられているが、凸部５３の数は、１３個以上であってもよいし、１１個以下であってもよい。
【００５３】
また、図１及び図５に示すように、照明装置１は、ファン６０を含む。ファン６０は、上部部材２０と下部部材３０との間の空間（本実施形態では、上部部材２０の下面２２と放熱部５０の上面５１との間の空間）に気流を生じさせる。図６に示すように、ファン６０は、上部部材２０と下部部材３０との間の空間において、商品陳列棚１０の第１の側板１１ａ側から薄型照明部７０の近傍を通過して第２の側板１１ｂ側に向かう気流を生じさせる。なお、ファン６０が商品陳列棚１０の奥側に設置され、上部部材２０と下部部材３０との間の空間において、商品陳列棚１０の奥側から薄型照明部７０の近傍を通過して開口側に向かう気流を生じさせるように構成されていてもよい。
【００５４】
図５及び図６に示すように、本実施形態の放熱部５０の凸部５３は、第１の側板１１ａ側から第２の側板１１ｂ側に向かって、ファン６０が発生させる気流に沿う向きに延設されている。従って、放熱部５０の表面積において、ファン６０が発生させた気流に接する面積が広くなり、放熱部５０による放熱効率をより向上させることができ、薄型照明部７０が光を発したことによって生じた熱をより高い効率で放散させることができる。そして、薄型照明部７０の温度上昇を良好に抑制することができる。なお、図６に示す例では、凸部５３は、第１の側板１１ａ側と第２の側板１１ｂ側とに分割されてそれぞれ設けられているが、照明用凹部５７は商品陳列棚１０の中央部に設けられているので、商品陳列棚１０の奥側や開口側では第１の側板１１ａ側の凸部５３と第２の側板１１ｂ側の凸部５３とが分割されていなくてもよい。つまり、放熱部５０の上面５１において、商品陳列棚１０の奥側や開口側には、第１の側板１１ａ側から照明用凹部５７の奥側又は開口側を通り第２の側板１１ｂ側に至る凸部５３が設けられていてもよい。
【００５５】
さらに、放熱部５０において、上面５０及び凸部５３の表面に、熱放射率を高めるための処理として、例えば、熱放射係数が高い熱硬化型アクリル樹脂等の素材でコーティングされていることが好ましい。なお、コーティングする素材は、密着度が高いこと及び絶縁性が高いことが望ましい。そのような処理が施されていることによって、放熱部５０の放熱効率をさらに向上させることができ、薄型照明部７０が光を発したことによって生じた熱をさらに高い効率で放散させることができる。そして、薄型照明部７０の温度上昇を良好に抑制することができる。なお、放熱部５０がアルミニウム製である場合には、アルマイト（陽極酸化処理）が施されていてもよい。そのようにすれば、薄型照明部７０が光を発したことによって生じた熱をさらに高い効率で放散させることができ、かつ、放熱部５０を着色することができるので、意匠性も向上させることができる。
【００５６】
＜第２実施形態＞
図７は、第２実施形態の照明装置２が設置された商品陳列棚１０の構成例を示す概略斜視図である。図１、図４及び図６に示す第１実施形態の照明装置１では、放熱部５０の下面５２が下部部材３０の上面３１に固着されている。それに対して、本実施形態の照明装置２では、放熱部２５０の上面２５１が下部部材３０の下面３２に固着されて当該放熱部２５０が配設されている。上部部材２０や連結部材４０、ファン６０等の他の構成は図１に示す第１実施形態の照明装置１における構成と同様なため、図１と同じ符号を付して説明を省略する。
【００５７】
図８は、図７におけるVIII-VIII線に沿う概略断面図である。図８に示すように、本実施形態の照明装置２は、上部部材２０の下面２２と連結部材４０の上面４１とが固着され、下部部材３０の上面３１と連結部材４０の下面４２とが固着されることによって、上部部材２０と下部部材３０とが連結部材４０によって連結されていることは、図５に示す第１実施形態の照明装置１における構成と同様である。しかし、図５に示す第１実施形態の照明装置１では下部部材３０の上面３１に放熱部５０の下面５２が固着されているのに対して、本実施形態の照明装置２は、図８に示すように、下部部材３０の下面３２に放熱部２５０の上面２５１が固着されている。
【００５８】
また、下部部材３０には、第１実施形態と同様に、下面３２から上面３１に亘り、薄型照明部７０を設置するための貫通孔である照明用貫通孔３７が設けられている。そして、放熱部２５０において、下部部材３０の照明用貫通孔３７が設けられている領域には、下方を開口方向とし、薄型照明部７０の少なくとも一部を収容するための凹部である照明用凹部２５７が設けられている。図８に示すように、照明用凹部２５７は、放熱部２５０の上面２５１が下部部材３０の下面３２に当接するまで、照明用貫通孔３７に下面３２側から挿入される。
【００５９】
そして、図８に示す例では、薄型照明部７０の上面７１側の部分は、鍔部７３の上面７３１が放熱部２５０の下面２５２に当接するまで、放熱部２５０の照明用凹部２５７内に収容される。そして、薄型照明部７０の外面において放熱部２５０の照明用凹部２５７の内壁に向かい合う部分は、当該放熱部２５０の照明用凹部２５７の内壁に接して熱的に接続される。また、鍔部７３の上面７３１も放熱部２５０の下面２５２に熱的に接続されている。従って、薄型照明部７０が光を発したことによって生じた熱は、鍔部７３の上面７３１と放熱部２５０の下面２５２との熱的な接続も相俟って、放熱部２５０に良好に伝達される。そして、薄型照明部７０の温度上昇を良好に抑制することができる。なお、薄型照明部７０は、例えば、鍔部７３が下面７２側から図示しないビス等によって放熱部２５０の下面２５２に締結されて固定される。
【００６０】
図８に示す例では、放熱部２５０の下面２５２には、下方に向かう複数の凸部２５３が設けられている。放熱部２５０に複数の凸部２５３が設けられていることによって放熱部２５０の表面積を拡げ、放熱部２５０による放熱効率を向上させることができ、薄型照明部７０が光を発したことによって生じた熱を高い効率で放散させることができる。そして、薄型照明部７０の温度上昇を良好に抑制することができる。なお、図８及び図９に示す例では１２個の凸部２５３が設けられているが、凸部２５３の数は、１３個以上であってもよいし、１１個以下であってもよい。また、第１実施形態における凸部５３と同様に、放熱部２５０の下面２５２において、商品陳列棚１０の奥側や開口側には第１の側板１１ａ側から照明用凹部５７の奥側又は開口側を通り第２の側板１１ｂ側に至る凸部２５３が設けられていてもよい。
【００６１】
また、図７及び図８に示すように、本実施形態の照明装置１は、ファン６０を含む。ファン６０は、上部部材２０と下部部材３０との間の空間に気流を生じさせる。図９は、図７におけるIX-IX線に沿う概略断面図である。図９に示すように、ファン６０は、上部部材２０と下部部材３０との間の空間において、第１実施形態と同様に商品陳列棚１０の第１の側板１１ａ側から薄型照明部７０を収容する放熱部２５０の照明用凹部２５７の外壁の近傍を通って第２の側板１１ｂ側に向かう気流を生じさせる。そして、薄型照明部７０が光を発することに伴って生じて、放熱部２５０に伝達された熱を、照明用凹部２５７の外壁から高い効率で放散させることができる。
【００６２】
さらに、放熱部２５０において、照明用凹部２５７の外表面（具体的には、特に、ファン６０が発した気流が近傍を通過する領域）に、熱放射率を高めるための処理として、例えば、熱放射係数が高い素材でコーティングされていることが好ましい。そのような処理が施されていることによって、放熱部２５０において、近傍を気流が通過する照明用凹部２５７の外表面の放熱効率をさらに向上させることができ、薄型照明部７０が光を発したことによって生じた熱をさらに高い効率で放散させることができる。そして、薄型照明部７０の温度上昇を良好に抑制することができる。
【００６３】
（変形例）
図１０は、第２実施形態の照明装置２の変形例を示す概略断面図である。図８及び図９に示す第２実施形態の照明装置２では、放熱部２５０に、下部部材３０の照明用貫通孔３７に挿入される照明用凹部２５７が設けられていた。それに対して本変形例では、放熱部２５０ａにおいて、下部部材３０の照明用貫通孔３７に対応する領域に、下面２５１から上面２５２に亘る放熱部貫通孔２５４が設けられている点が第２実施形態と異なる。そして、図１０に示すように、下部部材３０の照明用貫通孔３７と放熱部２５０の放熱部貫通孔２５４とによって連通孔２５６が形成されている。その他の第２実施形態と同様な構成には、図７〜図９と同じ符号を付して説明を省略する。
【００６４】
図１０に示す例では、薄型照明部７０の上面７１側の部分は、鍔部７３の上面７３１が放熱部材２５０ａの下面２５２に当接するまで、放熱部２５０ａの下面２５２側から連通孔２５６内に挿入される。そして、薄型照明部７０の外面において放熱部２５０ａの放熱部貫通孔２５４の内壁に向かい合う部分は、放熱部２５０ａの放熱部貫通孔２５４の内壁に接して熱的に接続される。また、鍔部７３の上面７３１も放熱部２５０の下面２５２に熱的に接続されている。従って、薄型照明部７０が光を発したことによって生じた熱は、鍔部７３の上面７３１と放熱部２５０の下面２５２との熱的な接続も相俟って、放熱部２５０ａに良好に伝達される。そして、薄型照明部７０の温度上昇を良好に抑制することができる。
【００６５】
なお、薄型照明部７０は、例えば、鍔部７３が下面７２側から図示しないビス等によって放熱部２５０の下面２５２と締結されて固定されてもよいし、例えば、薄型照明部７０が当該薄型照明部７０本体から離間する方向に伸張するばねを側面に有し、当該ばねが連通孔２５６を通過すると下部部材３０の上面３１上で当該薄型照明部７０本体から離間する方向に伸張して当該薄型照明部７０が下方に落下しないように支持して固定するように構成されていてもよい。また、薄型照明部７０が当該薄型照明部７０本体から離間する方向に付勢されたクリップ体を側面に有し、当該クリップ体が連通孔２５６を通過すると下部部材３０の上面３１上で当該薄型照明部７０本体から離間する方向に伸張して当該薄型照明部７０が下方に落下しないように支持して固定するように構成されていてもよい。
【００６６】
図１０に示す本変形例における放熱部２５０ａの下面２５２にも、下方に向かう複数の凸部２５３が設けられている。放熱部２５０ａに複数の凸部２５３が設けられていることによって放熱部２５０ａの表面積を拡げ、放熱部２５０による放熱効率を向上させることができ、薄型照明部７０が光を発したことによって生じた熱を高い効率で放散させることができる。そして、薄型照明部７０の温度上昇を良好に抑制することができる。
【００６７】
また、図７及び図８に示した場合と同様に、本変形例の照明装置２もファン６０を含み、ファン６０は、上部部材２０と下部部材３０との間の空間に気流を生じさせる。そして、本変形例においても、図９に示す場合と同様に、ファン６０は、上部部材２０と下部部材３０との間の空間において、第１実施形態と同様に商品陳列棚１０の第１の側板１１ａ側から薄型照明部７０の上面７１側の部分の近傍を通って第２の側板１１ｂ側に向かう気流を生じさせる。そして、薄型照明部７０が光を発することに伴って生じた熱を、薄型照明部７０の外面から直接に高い効率で放散させることができる。そして、薄型照明部７０の温度上昇を良好に抑制することができる。
【００６８】
＜第３実施形態＞
図１１は、第３実施形態の照明装置３が設置された商品陳列棚１０の構成例を示す概略斜視図である。図１、図４及び図６に示す第１実施形態の照明装置１では、下部部材３０の上面３１に放熱部５０の下面５２が固着されて当該放熱部５０が配設されている。また、図７〜図１０に示す第２実施形態の照明装置２では、下部部材３０の下面３２に放熱部２５０の上面５１が固着されて当該放熱部２５０が配設されている。それに対して、本実施形態の照明装置３は、下部部材が、薄型照明部７０が光を発することに伴って生じた熱を放散する機能を有する。つまり、本実施形態において、下部部材は、第１実施形態における放熱部５０及び第２実施形態における放熱部２５０に相当する機能を有する。第１実施形態における下部部材３０及び放熱部５０に相当する機能、並びに第２実施形態における下部部材３０及び放熱部２５０に相当する機能を有する第３実施形態の下部部材を放熱部３５０と称する。上部部材２０や連結部材４０、ファン６０等の他の構成は図１に示す第１実施形態の照明装置１における構成及び図７に示す第２実施形態の照明装置２における構成と同様なため、図１及び図７と同じ符号を付して説明を省略する。
【００６９】
図１２は、図１１におけるXII-XII線に沿う概略断面図である。図１２に示すように、本実施形態の照明装置３は、上部部材２０の下面２２と連結部材４０の上面４１とが固着され、放熱部３５０の上面３５１と連結部材４０の下面４２とが固着されることによって、上部部材２０と放熱部３５０とが連結部材４０によって連結されていることは、図５に示す第１実施形態の照明装置１において連結部材４０によって上部部材２０と下部部材３０が連結される構成と同様である。
【００７０】
図１２に示すように、放熱部３５０には、第１実施形態における放熱部材５０と同様に、下方を開口方向とし、薄型照明部７０の少なくとも一部を収容するための凹部である照明用凹部３５７が設けられている。そして、図１２に示す例では、薄型照明部７０の上面７１側の部分は、鍔部７３の上面７３１が放熱部３５０の下面３５２に当接するまで、放熱部３５０の照明用凹部３５７内に収容される。そして、薄型照明部７０の外面において放熱部３５０の照明用凹部３５７の内壁に向かい合う部分は、当該放熱部３５０の照明用凹部３５７の内壁に接して熱的に接続される。従って、薄型照明部７０が光を発したことによって生じた熱は、放熱部３５０に良好に伝達される。そして、薄型照明部７０の温度上昇を良好に抑制することができる。なお、本実施形態の放熱部３５０に、第２実施形態の変形例における放熱部２５０ａの放熱部貫通孔２５４に相当する貫通孔が設けられていてもよい。
【００７１】
図１２に示す例では、放熱部３５０の上面３５１には、上方に向かう複数の凸部３５３が設けられている。放熱部３５０に複数の凸部３５３が設けられていることによって放熱部３５０の表面積を拡げ、放熱部３５０による放熱効率を向上させることができ、薄型照明部７０が光を発したことによって生じた熱を高い効率で放散させることができる。なお、放熱部３５０の下面３５２にも複数の凸部が設けられていてもよい。そのような構成によれば、放熱部３５０の表面積をより拡げ、放熱部３５０による放熱効率をより向上させることができ、薄型照明部７０が光を発したことによって生じた熱をより高い効率で放散させることができる。そして、薄型照明部７０の温度上昇を良好に抑制することができる。
【００７２】
また、図１１及び図１２に示すように、本実施形態の照明装置３は、ファン６０を含む。ファン６０は、上部部材２０と放熱部３５０との間の空間に気流を生じさせる。図１３は、図１１におけるXIII-XIII線に沿う概略断面図である。図１３に示すように、ファン６０は、上部部材２０と放熱部３５０との間の空間において、第１実施形態と同様に商品陳列棚１０の第１の側板１１ａ側から薄型照明部７０を収容する放熱部３５０の照明用凹部３５７の外壁の近傍を通って第２の側板１１ｂ側に向かう気流を生じさせる。
【００７３】
図１２及び図１３に示すように、本実施形態の放熱部３５０の凸部３５３は、ファン６０が発生させる気流に沿う向きに延設されている。従って、放熱部３５０の表面積において、ファン６０が発生させた気流に接する面積が広くなり、放熱部３５０による放熱効率をより向上させることができ、薄型照明部７０が光を発したことによって生じた熱をより高い効率で放散させることができる。そして、薄型照明部７０の温度上昇をより良好に抑制することができる。
【００７４】
さらに、放熱部３５０において、上面３５１及び凸部３５３の表面に、熱放射率を高めるための処理として、例えば、熱放射係数が高い素材でコーティングされていることが好ましい。そのような処理が施されていることによって、放熱部３５０の放熱効率をさらに向上させることができ、薄型照明部７０が光を発したことによって生じた熱をさらに高い効率で放散させることができる。そして、薄型照明部７０の温度上昇をさらに良好に抑制することができる。なお、放熱部３５０がアルミニウム製である場合には、アルマイト（陽極酸化処理）が施されていてもよい。そのようにすれば、放熱部３５０を着色することができるので、意匠性も向上させることができる。
【００７５】
＜第４実施形態＞
以上に述べた各実施形態では、図３に示すように、下面７５に沿う面において３個の半導体発光部７０ａ，７０ｂ，７０ｃが環状の鍔部７３によって周囲を囲まれるように配置されている薄型照明部７０が用いられていた。具体的には、例えば、薄型照明部７０は、ダウンライト型照明であった。しかし、本発明の各実施形態に適用される薄型照明部７０は、ダウンライト型照明に限られず他の態様であってもよい。具体的には、薄型照明部７０は、例えば、ライン型照明であってもよい。
【００７６】
図１４は、他の態様の薄型照明部８７０が適用された第４実施形態の照明装置４が設置された商品陳列棚１０の構成例を示す概略斜視図である。図１４に示すように、本実施形態の照明装置４は、ライン型照明の薄型照明部８７０を含む点が、図１に示す第１実施形態の照明装置１と異なる。図１４に示す第４実施形態の照明装置４において、その他の構成要素は図１に示す第１実施形態の照明装置１における構成と同様なため、図１と同じ符号を付して説明を省略する。
【００７７】
図１４に示すように、薄型照明部８７０は、下面８７２が下方、すなわち被照射物である商品１００が配置されている方向を向くように下部部材３０の中央部に設置されている。なお、図１４に示す例では、薄型照明部８７０は、商品１００の真上から当該商品１００に光を照射する位置に設置されているが、薄型照明部８７０は、他の位置から商品１００を照射するように設置されていてもよい。具体的には、薄型照明部８７０は、例えば、下部部材３０における開口側に設置されて商品陳列棚１０の開口側上方から商品１００に光を照射してもよいし、下部部材３０における奥側に設置されて商品陳列棚１０の奥側上方から商品１００に光を照射してもよい。
【００７８】
図１５は、薄型照明部８７０の概略下面図である。図１５に示すように薄型照明部８７０は、直線状に並べられた５個の半導体発光部８７０ａ，８７０ｂ，８７０ｃ，８７０ｄ，８７０ｅと、下面８７２に沿って半導体発光部８７０ａ，８７０ｂ，８７０ｃ，８７０ｄ，８７０ｅの周囲を囲む鍔部８７３とを含む。５個の半導体発光部８７０ａ，８７０ｂ，８７０ｃ，８７０ｄ，８７０ｅの構成は、例えば、前述した半導体発光部７０ａの構成とそれぞれ同様なため説明を省略する。なお、図１５に示す例では、薄型照明部８７０は、５個の半導体発光部８７０ａ，８７０ｂ，８７０ｃ，８７０ｄ，８７０ｅを含むが、６個以上の半導体発光部を含んでより長い形状であってもよいし、５個未満の半導体発光部を含んでより短い形状であってもよい。また、各半導体発光部が曲線状に配置されていてもよい。なお、図１４に示す例では、薄型照明部８７０は、長辺が、ファン６０が発生させる第１の側板１１ａ側から第２の側板１１ｂ側に向かう気流に沿う向きに設置されているが、当該長辺が気流を妨げる向きに設置して、各半導体発光部の筐体を気流に対向させてもよい。また、薄型照明部８７０は、長辺と当該気流の向きとがなす角が、例えば、４５°になるように設置されてもよい。
【００７９】
各半導体発光部に用いる蛍光体の種類や混合比率、ＬＥＤチップとの組み合わせを異ならせることによって、薄型照明部８７０に、各半導体発光部が発した光の合成光を放射させることができる。そして、各半導体発光部が発する光の強度を異ならせるための制御手段を含むように構成された場合には、各半導体発光部が発する光の強度を被照射物である商品１００の色等に応じてそれぞれ異ならせ、薄型照明部８７０に、商品１００の色等に応じた色度等の光を発させることができる。
【００８０】
なお、本実施形態では、ライン型照明の薄型照明部８７０を第１実施形態の照明装置１に適用して照明装置４としたので、第１実施形態の照明装置１と同様の効果を奏する。すなわち、薄型照明部８７０が光を発したことによって生じた熱は、放熱部５０に良好に伝達されて放散され、薄型照明部８７０の温度上昇を良好に抑制することができる。
【００８１】
なお、本実施形態では、ライン型照明の薄型照明部８７０を第１実施形態の照明装置１に適用して照明装置４としたが、ライン型照明の薄型照明部８７０を第２実施形態の照明装置２及び変形例の照明装置２や第３実施形態の照明装置３に適用してもよい。
【００８２】
以上に述べた各実施形態では、本発明による照明装置１，２，３，４が、下部部材３０の中央部に設置されていたが、設置位置は種々適用可能である。具体的には、例えば、照明装置１，２，３，４を、商品陳列棚１０の奥側に開口方向下方を斜めに照射するように設置してもよい。また、照明装置１，２，３，４を、商品陳列棚１０の開口側に奥側下方を斜めに照射するように設置してもよいし、一方の側板側に他方の側板下方を斜めに照射するように設置してもよい。
【００８３】
また、以上に述べた各実施形態では、１個の薄型照明部７０，８７０が照明装置１，２，３，４にそれぞれ含まれていたが、複数個の薄型照明部７０，８７０が照明装置１，２，３，４にそれぞれ含まれていてもよい。そして、各薄型照明部７０，８７０がそれぞれ異なる位置に設置されてそれぞれ異なる位置から商品を照射するように構成されていてもよい。
【００８４】
また、上部部材２０や下部部材３０の形状は、図１等に例示した矩形に限られず種々変更可能である。
【００８５】
図５及び図６に示す例では、薄型照明部７０の上面７１が照明用凹部５７の天面に接しているが、薄型照明部７０の上面７１が照明用凹部５７の天面に接していなくてもよい。同様に、図８及び図９に示す例では、薄型照明部７０の上面７１が照明用凹部２５７の天面に接しているが、薄型照明部７０の上面７１が照明用凹部２５７の天面に接していなくてもよい。また、図１２及び図１３に示す例では、薄型照明部７０の上面７１が照明用凹部３５７の天面に接しているが、薄型照明部７０の上面７１が照明用凹部３５７の天面に接していなくてもよい。
【００８６】
また、以上に述べた各実施形態では、凸部５３，２５３，３５３は畝状に設けられているが、点状等の他の形状で設けられていてもよい。具体的には、例えば、円柱状や角柱状、角錐状、半球形状等による複数の突起であってもよいし、凸部５３，２５３，３５３に代えて、又は凸部５３，２５３，３５３に加えてディンプル加工のように複数の凹部が設けられていてもよい。
【００８７】
以上に述べた各実施形態では、１個のファン６０が照明装置１，２，３，４にそれぞれ含まれていたが、複数個のファンが含まれていてもよい。また、ファン６０は、商品陳列棚１０の内部に空気を流入させるように設置されているが、商品陳列棚１０の内部の空気を外部に排出させるように設置されていてもよい。
【００８８】
また、以上に述べた各実施形態では、ファン６０は、商品陳列棚１０の第１の側板１１ａに設置されて当該商品陳列棚１０内に空気を流入させる向きに設置されているが、ファン６０は、商品陳列棚１０内の空気を排出する向きに設置されていてもよい。そのように設置された場合には、空気は第２の側板１１ｂに設けられた通風口１２から商品陳列棚１０内に流入する。
【００８９】
以上に述べた各実施形態では、上部部材２０及び下部部材３０，３５０が、商品陳列棚１０において水平面に沿って設置され、上部部材２０の上面２１に商品を載置可能であるように構成されているが、上部部材２０及び下部部材３０，３５０が、商品陳列棚１０において垂直に設置され、当該商品陳列棚１０の側壁や奥壁として利用可能に構成されていてもよい。
【００９０】
本発明による照明装置１，２，３，４は、図１に例示した商品陳列棚１０に限られず種々の用途に適用可能である。具体的には、例えば、ショーケースやガラスショーケース、カウンターケース、商品展示ケース、サンプル展示ケース、コレクションケース等に適用可能である。
【符号の説明】
【００９１】
１、２、３、４    照明装置
１０    商品陳列棚
２０    上部部材
３０    下部部材
４０    連結部材
５０、２５０、２５０ａ、３５０    放熱部
５３、２５３、３５３    凸部
５７、２５７、３５７    照明用凹部（凹部）
６０    ファン
７０、８７０    薄型照明部
【図１】
2013211199.tif 000003
【図２】
2013211199.tif 000004
【図３】
2013211199.tif 000005
【図４】
2013211199.tif 000006
【図５】
2013211199.tif 000007
【図６】
2013211199.tif 000008
【図７】
2013211199.tif 000009
【図８】
2013211199.tif 000010
【図９】
2013211199.tif 000011
【図１０】
2013211199.tif 000012
【図１１】
2013211199.tif 000013
【図１２】
2013211199.tif 000014
【図１３】
2013211199.tif 000015
【図１４】
2013211199.tif 000016
【図１５】
2013211199.tif 000017